(57)【要約】【課題】一対の側板を横壁に当接することができなくても、容易に一対の側板を平行に配置する吊収納及び吊収納設置方法を提供する。【解決手段】建物の背壁Ｗ１に固定される受桟２と、受桟２に載せられて建物の第一横壁Ｗ２に当接される第一側板３と、受桟２に載せられて第一側板３と対向配置される第二側板４と、受桟２における第二側板４の位置決めを行う位置決め部１０と、を備える。この吊収納１では、位置決め部１０により受桟２における第二側板４の位置決めが行われることで、第二側板４の下部の左右方向の位置が規定される。このため、容易に第一側板３と第二側板４とを平行に配置することができる。【選択図】図３
2019052469.tif 000002
【特許請求の範囲】
【請求項１】
建物の背壁に固定される受桟と、
前記受桟に載せられて前記建物の第一横壁に当接される第一側板と、
前記受桟に載せられて前記第一側板と対向配置される第二側板と、
前記受桟における前記第二側板の位置決めを行う位置決め部と、を備え、
前記第一側板と前記第二側板との間に形成される収納空間の少なくとも一部が下方に開放されている、
吊収納。
【請求項２】
前記位置決め部は、前記第一側板に対する前記第二側板の位置決めを行う、
請求項１に記載の吊収納。
【請求項３】
前記位置決め部は、前記受桟に設けられている、
請求項１又は２に記載の吊収納。
【請求項４】
前記第一側板及び前記第二側板の上部において、前記第一側板及び前記第二側板に連結される横板を更に備える、
請求項１〜３の何れか一項に記載の吊収納。
【請求項５】
前記第一横壁と対向する前記建物の第二横壁と前記第二側板との間に配置される間口調整部材を更に備える、
請求項１〜４の何れか一項に記載の吊収納。
【請求項６】
前記第二横壁に固定される横桟を更に備え、
前記第二側板は、前記横桟に固定される、
請求項５に記載の吊収納。
【請求項７】
前記間口調整部材は、前記第二側板の前端面に当接される前板部を有し、
前記横桟は、前記前板部の後面に当接される、
請求項６に記載の吊収納。
【請求項８】
前記間口調整部材は、前記第二側板の下端面に当接される下板部を有し、
前記横桟は、前記下板部の上面に当接される、
請求項６又は７に記載の吊収納。
【請求項９】
建物の背壁に吊収納を設置する吊収納設置方法であって、
建物の背壁に受桟を固定し、
前記吊収納の第一側板を前記受桟に載せて、当該第一側板を建物の第一横壁に当接し、
前記第一側板と対向配置される第二側板を前記受桟に載せ、
前記第一側板と前記第二側板との間に形成される少なくとも一部の収納空間を下方に開放し、
前記受桟及び前記第二側板の少なくとも一方に、前記受桟に対する前記第二側板の位置決めを行う位置決め部を設けて、前記位置決め部により受桟に対する第二側板の位置決めを行う、
吊収納設置方法。
【発明の詳細な説明】
【技術分野】
【０００１】
本発明は、吊収納及び吊収納設置方法に関する。
【背景技術】
【０００２】
特許文献１には、背壁に支持部材を固定し、左右一対の側板と上下一対の横板とにより矩形枠状の基本本体を組み立て、この基本本体の下側の横板を支持材に固定した吊収納が記載されている。この吊収納では、地板を設けずに収納空間を下方に開放しているため、吊収納の下方に背の高い収納物を収納することができる。
【先行技術文献】
【特許文献】
【０００３】
【特許文献１】特開２０１６−１９９８９３号公報
【発明の概要】
【発明が解決しようとする課題】
【０００４】
特許文献１に記載された吊収納では、地板を設けずに収納空間を下方に開放しているが、左右一対の側板と上下一対の横板とにより矩形枠状の基本本体を組み立てることで、一方の側板に対して他方の側板の位置を平行に配置することを可能としている。ここで、地板を設けずに収納空間を下方に開放するために、横板を設けない構造、又は、吊収納の上部に天板等の横板を一枚のみ設ける構造とすることが考えられる。しかしながら、このような構造だと、特許文献１に記載された吊収納のような矩形枠状の基本本体を構築できない。このため、左右一対の側板を横壁に当接できる場合は、左右一対の側板を平行に配置することができるが、一方の側板しか横壁に当接できない場合は、左右一対の側板を平行に配置することが難しい。
【０００５】
そこで、本発明は、地板を設けずに収納空間を下方に開放する吊収納において、対向する一対の側板のうち一方の側板しか横壁に当接することができない場合でも、容易に一対の側板を平行に配置することができる吊収納及び吊収納設置方法を提供することを課題とする。
【課題を解決するための手段】
【０００６】
本発明者らは、上記課題について鋭意検討した結果、地板を設けずに収納空間を下方に開放する場合、側板の上部は、天壁や天板（横板）に固定することができるが、側板の下部は、天壁や天板（横板）に固定することができないため、側板の下部の位置決めを行うことで、容易に一対の側板を平行に配置することができるとの知見を得た。本発明は、このような知見に基づきなされたものである。
【０００７】
すなわち、本発明に係る吊収納は、建物の背壁に固定される受桟と、受桟に載せられて建物の第一横壁に当接される第一側板と、受桟に載せられて第一側板と対向配置される第二側板と、受桟における第二側板の位置決めを行う位置決め部と、を備え、第一側板と第二側板との間に形成される少なくとも一部の収納空間が下方に開放されている。
【０００８】
この吊収納では、第一側板及び第二側板が受桟に載せられることで、背壁に吊り下げられ、第一側板が第一横壁に当接されることで、第一側板の左右方向の位置が規定され、第一側板と第二側板との間に形成される少なくとも一部の収納空間が下方に開放されているため、吊収納の下方に背の高い収納物を収納することができる。そして、位置決め部により受桟における第二側板の位置決めが行われることで、第二側板の下部の左右方向の位置が規定される。このため、例えば、第二側板を横壁に当接することができない場合に、下方に開放された空間を広くとるために、横板を設けない構造、又は、吊収納の上部に天板等の横板を一枚のみ設ける構造としても、容易に第一側板と第二側板とを平行に配置することができる。
【０００９】
位置決め部は、第一側板に対する第二側板の位置決めを行ってもよい。この吊収納では、位置決め部が第一側板に対する第二側板の位置決めを行うため、高精度に第一側板と第二側板とを平行に配置することができる。
【００１０】
位置決め部は、受桟に設けられていてもよい。この吊収納では、位置決め部が受桟に設けられているため、受桟における第二側板の位置決めを容易に行うことができるとともに、第一側板に対する第二側板の位置決めを容易に行うことができる。当該構成によれば、例えば、精度よく位置決め部が設けられた受桟を施工現場に供給することで、現場での位置決め作業が不要となり簡易且つ精度のよい施工ができる。
【００１１】
第一側板及び第二側板の上部において第一側板及び第二側板に連結される横板を更に備えてもよい。この吊収納では、第一側板及び第二側板の上部において第一側板及び第二側板に連結される横板を備えるため、第一側板及び第二側板の上部の位置決めを容易に行うことができる。なお、第一側板及び第二側板の上部とは、第一側板及び第二側板の上下方向における中央部よりも上の部分をいう。
【００１２】
第一横壁と対向する建物の第二横壁と第二側板との間に配置される間口調整部材を更に備えてもよい。第一横壁及び第二横壁の幅よりも第一側板及び第二側板の幅が狭い場合、第二横壁と第二側板との間に隙間が生じるが、この吊収納では、第二横壁と第二側板との間に間口調整部材を配置するため、第一横壁及び第二横壁の幅よりも第一側板及び第二側板の幅が狭い場合に、第二横壁と第二側板との間に生じる隙間を塞ぐことができる。
【００１３】
第二横壁に固定される横桟を更に備え、第二側板は、横桟に固定されてもよい。第二側板と第二横壁とが離間している場合、第二側板を第二横壁に固定するためには長い固定部材が必要になり、固定部材の長さが長くなるほど、固定部材の固定強度が低下する傾向にある。この吊収納では、第二側板が第二横壁に固定される横桟に固定されるため、第二側板が横桟を介さずに第二横壁に固定される場合に比べて、第二側板を第二横壁に固定するビスなどの固定部材の長さを短くして第二横壁に対する第二側板の固定強度を向上させることができる。
【００１４】
間口調整部材は、第二側板の前端面に当接される前板部を有し、横桟は、前板部の後面に当接されてもよい。この吊収納では、間口調整部材の前板部が第二側板の前端面に当接されるため、吊収納の前方から見た場合に、第二横壁と第二側板との間の隙間を塞ぐことができる。しかも、横桟が前板部の後面に当接されるため、前板部が内側に倒れ込むのを防止することができる。
【００１５】
間口調整部材は、第二側板の下端面に当接される下板部を有し、横桟は、下板部の上面に当接されてもよい。この吊収納では、間口調整部材の下板部が第二側板の下端面に当接されるため、吊収納の下方から見た場合に、第二横壁と第二側板との間の隙間を塞ぐことができる。しかも、横桟が下板部の上面に当接されるため、下板部が内側に倒れ込むのを防止することができる。
【００１６】
本発明に係る吊収納設置方法は、建物の背壁に吊収納を設置する吊収納設置方法であって、建物の背壁に受桟を固定し、吊収納の第一側板を受桟に載せて、当該第一側板を建物の第一横壁に当接し、第一側板と対向配置される第二側板を受桟に載せ、第一側板と第二側板との間に形成される少なくとも一部の収納空間を下方に開放し、受桟及び第二側板の少なくとも一方に、受桟に対する第二側板の位置決めを行う位置決め部を設けて、位置決め部により受桟に対する第二側板の位置決めを行う。
【００１７】
この吊収納設置方法では、第一側板及び第二側板を受桟に載せることで、吊収納が背壁に吊り下げられ、第一側板を第一横壁に当接することで、第一側板の左右方向の位置が規定され、第一側板と第二側板との間に形成される少なくとも一部の収納空間を下方に開放することで、吊収納の下方に背の高い収納物を収納することができる。そして、位置決め部により受桟における第二側板の位置決めを行うことで、第二側板の下部の左右方向の位置が規定される。このため、例えば、第二側板を横壁に当接することができない場合に、下方に開放された空間を広くとるために、横板を設けない構造、又は、吊収納の上部に天板等の横板を一枚のみ設ける構造としても、容易に第一側板と第二側板とを平行に配置することができる。
【発明の効果】
【００１８】
本発明によれば、一対の側板を横壁に当接することができなくても、容易に一対の側板を平行に配置することができる。
【図面の簡単な説明】
【００１９】
【図１】実施形態の吊収納の平面図である。
【図２】実施形態の吊収納の正面図である。
【図３】図１に示すＩＩＩ−ＩＩＩ線における断面図である。
【図４】図２に示すＩＶ−ＩＶ線における断面図である。
【図５】図２に示すＶ−Ｖ線における断面図である。
【図６】図２に示すＶＩ−ＶＩ線における断面図である。
【図７】実施形態の吊収納の斜視図である。
【図８】図３における位置決め部材の周囲を示す縦断面図である。
【図９】図６における位置決め部材の周囲を示す断面図である。
【図１０】位置決め部材の周囲を示す斜視図である。
【図１１】受桟及び横桟を組み付けた状態を示す図である。
【図１２】第一側板、仕切板、固定棚及び天板を組み付けた状態を示す図である。
【図１３】第二側板に間口調整部材を組み付ける状態を示す図である。
【図１４】第二側板及び間口調整部材を組み付ける前の状態を示す図である。
【図１５】第二側板及び間口調整部材を組み付けた状態を示す図である。
【図１６】吊収納の変形例を示す断面図である。
【図１７】吊収納の変形例を示す斜視図である。
【図１８】図１７に示す吊収納において受桟に第二側板を組み付ける前の状態を示す図である。
【図１９】吊収納の変形例を示す断面図である。
【図２０】吊収納の変形例を示す断面図である。
【発明を実施するための形態】
【００２０】
以下、図面を参照して、実施形態の吊収納及び吊収納設置方法について詳細に説明する。本実施形態は、本発明の吊収納及び吊収納設置方法を、建物の、背壁と互いに対向する第一横壁及び第二横壁とに囲まれる設置空間に設置する吊収納及び吊収納設置方法に適用したものである。なお、全図中、同一または相当部分には同一符号を付し、重複する説明を省略する。
【００２１】
図１〜図７に示すように、本実施形態の吊収納１は、建物の、背壁Ｗ１と互いに対向する第一横壁Ｗ２及び第二横壁Ｗ３とに囲まれる設置空間Ａに設置される。背壁Ｗ１、第一横壁Ｗ２及び第二横壁Ｗ３は、コ字状に配置されており、第一横壁Ｗ２及び第二横壁Ｗ３と背壁Ｗ１とは、直角に接続されている。設置空間Ａは、平面視において矩形に形成されており、背壁Ｗ１とは反対側に、設置空間Ａと外部空間とを連通する開口Ｂが形成されている。以下の説明において、左右、上下、前後等の方向は、開口Ｂを手前側として吊収納１を正面から見た方向を示す。なお、前後方向は、奥行き方向ともいい、左右方向は、幅方向ともいう。
【００２２】
吊収納１は、背壁Ｗ１に吊り下げられる吊収納であって、吊収納の下方に背の高い収納物を収納することができるように、地板を設けずに収納空間の少なくとも一部が下方に開放された吊収納である。吊収納１は、受桟２と、第一側板３と、第二側板４と、仕切板５と、天板６と、固定棚７と、間口調整部材８と、第一横桟９Ａと、第二横桟９Ｂと、を備える。なお、吊収納１を構成する各部材は、木材により形成されていることが好ましいが、樹脂等の木材以外の素材により形成されていてもよい。
【００２３】
受桟２は、吊収納１を背壁Ｗ１に吊り下げるための部材である。吊収納１を吊り下げるとは、吊収納１を床から離れた位置に固定することをいう。受桟２は、細長い矩形板状に形成されている。受桟２は、建物の床と平行に配置されるように、背壁Ｗ１に固定される。背壁Ｗ１に対する受桟２の固定は、例えば、接着剤による接着、木ダボによる接合、ビス止め、これらの併用等により行うことができる。
【００２４】
第一側板３は、吊収納１の右側（一方側）の側板を構成する部材である。第一側板３は、矩形板状に形成されている。第一側板３は、一枚の板材で構成されていてもよく、複数枚の板材で構成されていてもよい。本実施形態では、第一側板３は、上下二枚の板材で構成されており、第一側板３の上側の板材を第一側板３Ａ、第一側板３の下側の板材を第一側板３Ｂという。
【００２５】
第一側板３は、受桟２に載せられて、背壁Ｗ１に当接される。具体的には、第一側板３の後端部且つ下端部となる角部に切り欠きが形成されており、この切り欠きを受桟２に掛けることで、第一側板３が背壁Ｗ１に当接された状態で受桟２に載せられる。このため、上下方向における第一側板３の位置は、受桟２により規定される。また、第一側板３は、背壁Ｗ１の右側（一方側）に位置する第一横壁Ｗ２に当接される。具体的には、第一側板３の第一横壁Ｗ２側の面が、第一横壁Ｗ２に当接される。このため、左右方向における第一側板３の位置は、第一横壁Ｗ２により規定される。また、第一側板３は、受桟２及び天板６に固定される。受桟２に対する第一側板３の固定は、例えば、接着剤による接着、木ダボによる接合、Ｌ字金具を用いたビス止め、これらの併用等により行うことができる。天板６に対する第一側板３の固定は、例えば、接着剤による接着、木ダボによる接合、ノックダウン金具（ハーフェレ社製のラフィックス２０）を用いた連結、これらの併用等により行うことができる。
【００２６】
第二側板４は、第一側板３と対向配置されて、吊収納１の左側（他方側）の側板を構成する部材である。第二側板４は、矩形板状に形成されている。第二側板４は、一枚の板材で構成されていてもよく、複数枚の板材で構成されていてもよい。本実施形態では、第二側板４は、一枚の板材で構成されている。
【００２７】
第二側板４は、受桟２に載せられて、背壁Ｗ１に当接される。具体的には、第二側板４の後端部且つ下端部となる角部に切り欠きが形成されており、この切り欠きを受桟２に掛けることで、第二側板４が背壁Ｗ１に当接された状態で受桟２に載せられる。このため、上下方向における第二側板４の位置は、受桟２により規定される。また、第二側板４は、受桟２及び天板６に固定される。受桟２に対する第二側板４の固定は、例えば、接着剤による接着、木ダボによる接合、Ｌ字金具を用いたビス止め、これらの併用等により行うことができる。天板６に対する第二側板４の固定は、例えば、接着剤による接着、木ダボによる接合、ノックダウン金具を用いた連結、これらの併用等により行うことができる。また、第二側板４は、間口調整部材８、第一横桟９Ａ及び第二横桟９Ｂを介して背壁Ｗ１の左側（他方側）に位置する第二横壁Ｗ３に固定される。
【００２８】
仕切板５は、第一側板３と第二側板４との間の収納空間を左右に仕切るための部材である。仕切板５は、矩形板状に形成されている。仕切板５は、一枚の板材で構成されていてもよく、複数枚の板材で構成されていてもよい。本実施形態では、仕切板５は、上下二枚の板材で構成されており、仕切板５の上側の板材を仕切板５Ａ、仕切板５の下側の板材を仕切板５Ｂという。
【００２９】
仕切板５は、受桟２に載せられて、背壁Ｗ１に当接される。具体的には、仕切板５の後端部且つ下端部となる角部に切り欠きが形成されており、この切り欠きを受桟２に掛けることで、仕切板５が背壁Ｗ１に当接された状態で受桟２に載せられる。また、仕切板５は、受桟２及び天板６に固定される。このため、左右方向における仕切板５の上端部の位置は、天板６により規定される。受桟２に対する仕切板５の固定は、例えば、接着剤による接着、木ダボによる接合、Ｌ字金具を用いたビス止め、これらの併用等により行うことができる。天板６に対する仕切板５の固定は、例えば、接着剤による接着、木ダボによる接合、ノックダウン金具を用いた連結、これらの併用等により行うことができる。
【００３０】
天板６は、吊収納１の天板を構成する部材であり、横板ともいう。天板６は、第一横壁Ｗ２から第二横壁Ｗ３に至る矩形板状に形成されている。天板６は、一枚の板材で構成されていてもよく、複数枚の板材で構成されていてもよい。本実施形態では、天板６は、一枚の板材で構成されている。天板６の下面には、第一側板３、第二側板４及び仕切板５の固定位置を示す位置決め部が設けられており、第一側板３、第二側板４及び仕切板５のそれぞれは、この位置決め部において天板６に固定される。天板６に設けられる位置決め部としては、例えば、木ダボを挿入するためのダボ穴、ノックダウン金具等が用いられる。なお、第一側板３、第二側板４及び仕切板５は、天板６の下面に固定されるが、第一側板３及び第二側板４は、天板６の端面に固定されてもよく、天板６が複数の板材で構成されている場合は、仕切板５は、天板６を構成する各板材の端面に固定されてもよい。
【００３１】
固定棚７は、第一側板３と仕切板５との間の空間を上下に仕切るための部材であり、横板ともいう。固定棚７は、第一側板３から仕切板５に至る矩形板状に形成されている。固定棚７の左右方向における両端部は、第一側板３及び仕切板５に固定される。これにより、第一側板３、仕切板５、天板６、及び固定棚７は、互いに矩形枠状に固定された状態となるため、第一側板３と仕切板５とは、互いに平行な状態となる。第一側板３及び仕切板５に対する固定棚７の固定は、例えば、接着剤による接着、木ダボによる接合、これらの併用等により行うことができる。より具体的には、例えば、第一側板３Ａと第一側板３Ｂとで固定棚７を挟み、第一側板３Ａ及び第一側板３Ｂの端面と固定棚７の上下面とを、接着剤で接着するとともに木ダボで接合する。同様に、例えば、仕切板５Ａと仕切板５Ｂとで固定棚７を挟み、仕切板５Ａ及び仕切板５Ｂの端面と固定棚７の上下面とを、接着剤で接着するとともに木ダボで接合する。
【００３２】
そして、吊収納１は、第一側板３と第二側板４との間に形成される少なくとも一部の収納空間が下方に開放されている。具体的には、第一側板３の下端部と第二側板４の下端部とに接続される地板が設けられておらず、第一側板３と仕切板５との間に形成される収納空間と、仕切板５と第二側板４との間に形成される収納空間とが、下方に開放されている。
【００３３】
ここで、第一側板３、第二側板４及び仕切板５には、複数のダボ穴１１が形成されており、任意のダボ穴１１にピンダボ（不図示）を挿入して可動棚（不図示）を載置することが可能となっている。この可動棚の左右方向の幅は決められており、第一側板３と仕切板５との間隔、及び仕切板５と第二側板４との間隔は一定となる。このため、吊収納１を設置する設置空間Ａの左右方向の幅が、吊収納１の左右方向の幅よりも大きい場合は、設置空間Ａの第一横壁Ｗ２及び第二横壁Ｗ３と吊収納１との間に隙間が生じる。そこで、本実施形態では、第一横壁Ｗ２に第一側板３を当接させ、第二横壁Ｗ３と第二側板４との間に間口調整部材８を配置することで、第一横壁Ｗ２及び第二横壁Ｗ３と吊収納１との間の隙間を塞ぐ。
【００３４】
間口調整部材８は、第二横壁Ｗ３と第二側板４との間に配置される部材である。間口調整部材８は、前板部８Ａと、下板部８Ｂと、を備える。
【００３５】
前板部８Ａは、吊収納１の前端部において、第二横壁Ｗ３と第二側板４との間の隙間を塞ぐための部材である。前板部８Ａは、第二側板４から第二横壁Ｗ３に至る矩形板状に形成されている。なお、前板部８Ａは、十分な幅を有する矩形板状に形成されており、第二横壁Ｗ３と第二側板４との間の隙間の幅に応じて切断されることで、その幅を調整するものである。前板部８Ａは、第二側板４の前端面と、天板６の下端面と、第二横壁Ｗ３とに当接される。前板部８Ａは、第二側板４、天板６、及び第二横壁Ｗ３の少なくとも一つに固定されていればよい。本実施形態では、前板部８Ａは、第二側板４にのみ固定される。第二側板４に対する前板部８Ａの固定は、例えば、接着剤による接着、木ダボによる接合、これらの併用等により行うことができる。
【００３６】
下板部８Ｂは、吊収納１の下端部において、第二横壁Ｗ３と第二側板４との間の隙間を塞ぐための部材である。下板部８Ｂは、第二側板４から第二横壁Ｗ３に至る矩形板状に形成されている。なお、下板部８Ｂは、十分な幅を有する矩形板状に形成されており、第二横壁Ｗ３と第二側板４との間の隙間の幅に応じて切断されることで、その幅を調整するものである。下板部８Ｂは、第二側板４の下端面と、前板部８Ａの後端面と、背壁Ｗ１と、第二横壁Ｗ３と、に当接される。下板部８Ｂは、第二側板４、前板部８Ａ、背壁Ｗ１、及び第二横壁Ｗ３の少なくとも一つに固定されていればよい。本実施形態では、下板部８Ｂは、第二側板４にのみ固定される。第二側板４に対する下板部８Ｂの固定は、例えば、接着剤による接着、木ダボによる接合、これらの併用等により行うことができる。
【００３７】
第一横桟９Ａは、第二横壁Ｗ３に固定されて、第二側板４が固定される部材である。第一横桟９Ａは、細長い矩形板状に形成されている。第一横桟９Ａは、建物の床と平行に配置されるように、第二横壁Ｗ３に固定される。第二横壁Ｗ３に対する第一横桟９Ａの固定は、例えば、接着剤による接着、木ダボによる接合、ビス止め、これらの併用等により行うことができる。第一横桟９Ａは、吊収納１の下部に配置されて、前板部８Ａの後面及び下板部８Ｂの上面に当接される。
【００３８】
第二横桟９Ｂは、第二横壁Ｗ３に固定されて、第二側板４が固定される部材である。第二横桟９Ｂは、細長い矩形板状に形成されている。第二横桟９Ｂは、第一横桟９Ａよりも上方において、建物の床と平行に配置されるように、第二横壁Ｗ３に固定される。第二横壁Ｗ３に対する第二横桟９Ｂの固定は、例えば、接着剤による接着、木ダボによる接合、ビス止め、これらの併用等により行うことができる。第二横桟９Ｂは、吊収納１の上部に配置されて、前板部８Ａの後面及び天板６の下面に当接される。
【００３９】
そして、第二側板４は、第一横桟９Ａ及び第二横桟９Ｂに固定されることで、第二横壁Ｗ３に固定される。第一横桟９Ａ及び第二横桟９Ｂに対する第二側板４の固定は、例えば、ビス止めにより行うことができる。より具体的には、例えば、第二側板４の下部において第二側板４を貫通させたビスを第一横桟９Ａにねじ込むとともに、第二側板４の上部において第二側板４を貫通させたビスを第二横桟９Ｂにねじ込む。これにより、第二側板４は、第一横桟９Ａ及び第二横桟９Ｂを介して第二横壁Ｗ３に固定される。なお、このビスは、第一横桟９Ａ及び第二横桟９Ｂのみにねじ込んでもよく、第二横壁Ｗ３までねじ込んでもよい。
【００４０】
図１〜図１０に示すように、位置決め部１０は、受桟２における第二側板４の位置決めを行う部材である。上述したように、第一側板３は、第一横壁Ｗ２に固定されるため、左右方向における第一側板３の位置は、第一横壁Ｗ２により規定される。しかしながら、第二側板４は、間口調整部材８を介して第二横壁Ｗ３に固定される。このため、間口調整部材８を組み付ける前に第二側板４を組み付けると、左右方向における第二側板４の上部の位置は天板６により規定されるものの、左右方向における第二側板４の下部の位置は規定されない。そこで、本実施形態の吊収納１は、位置決め部１０により、左右方向における第二側板４の下部の位置を規定する。
【００４１】
具体的に説明すると、位置決め部１０は、第一側板３と第二側板４との間隔が一定となるように、第一側板３に対する第二側板４の位置決めを行う。より具体的には、位置決め部１０は、受桟２に設けられるとともに、受桟２から突出して第二側板４が当接される凸部である。このため、位置決め部１０である凸部に第二側板４を当接することで、第一側板３に対する第二側板４の位置決めを行うことができる。この凸部としては、例えば、木ダボを用いることができる。また、位置決め部１０である凸部は、第二側板４の第一側板３とは反対側の位置、つまり、第二側板４の間口調整部材８側（第二横壁Ｗ３）の位置に設けられている。このため、間口調整部材８を組み付けることで、位置決め部１０である凸部を間口調整部材８で隠すことができる。
【００４２】
次に、上述した吊収納１を背壁Ｗ１に設置する吊収納設置方法について説明する。
【００４３】
まず、事前準備として、受桟２に位置決め部１０を設けておく。そして、図１１に示すように、背壁Ｗ１に受桟２を固定するとともに、第二横壁Ｗ３に第一横桟９Ａ及び第二横桟９Ｂを固定する。位置決め部１０は、予め受桟２に設けておかずに、背壁Ｗ１に受桟２を固定した後に受桟２に設けてもよい。
【００４４】
次に、図１２に示すように、第一側板３Ａを受桟２に載せて、第一側板３Ａを背壁Ｗ１及び第一横壁Ｗ２に当接する。これにより、上下方向、前後方向、及び左右方向における第一側板３Ａの位置が規定される。そして、第一側板３Ａを受桟２及び第一横壁Ｗ２に固定する。次に、第一側板３Ａと第一側板３Ｂとで固定棚７を挟み、固定棚７を第一側板３Ａ及び第一側板３Ｂに固定するとともに、第一側板３Ｂを第一横壁Ｗ２に固定する。次に、仕切板５Ａを受桟２に載せて、仕切板５Ａと仕切板５Ｂとで固定棚７を挟み、仕切板５Ａを受桟２に固定するとともに、固定棚７を仕切板５Ａ及び仕切板５Ｂに固定する。次に、第一側板３Ｂ、仕切板５Ｂ及び第二横桟９Ｂの上に天板６を載せて、第一側板３Ｂ及び仕切板５Ｂに天板６を固定する。これにより、第一側板３（第一側板３Ａ及び第一側板３Ｂ）、仕切板５（仕切板５Ａ及び仕切板５Ｂ）、天板６、及び固定棚７が互いに矩形枠状に固定された状態となって、第一側板３と仕切板５とが互いに平行な状態に保持される。
【００４５】
次に、図１３に示すように、第二横壁Ｗ３と第二側板４との間の隙間の幅に応じて前板部８Ａ及び下板部８Ｂを切断し、第二側板４の前端面に前板部８Ａを固定するとともに、第二側板４の下端面に下板部８Ｂを固定する。
【００４６】
次に、図１４及び図１５に示すように、前板部８Ａ及び下板部８Ｂが固定された第二側板４を受桟２に載せて、第二側板４を背壁Ｗ１に当接する。これにより、上下方向及び前後方向における第二側板４の位置が規定される。また、前板部８Ａ及び下板部８Ｂを第一横桟９Ａ及び第二横桟９Ｂに当接するとともに、第二側板４を位置決め部１０に当接する。これにより、左右方向における第一側板３Ａの下端部の位置が規定される。また、第二側板４を天板６に固定する。これにより、左右方向における第一側板３Ａの上端部の位置が規定される。そして、第二側板４を第一横桟９Ａ及び第二横桟９Ｂに固定するとともに、第二側板４を受桟２に固定する。これにより、吊収納１の背壁Ｗ１への設置が終了する。
【００４７】
以上説明したように、本実施形態では、第一側板３及び第二側板４が受桟２に載せられることで、背壁Ｗ１に吊り下げられ、第一側板３が第一横壁Ｗ２に当接されることで、第一側板３の左右方向の位置が規定され、仕切板５と第二側板４との間に形成される収納空間が下方に開放されているため、吊収納１の下方に背の高い収納物を収納することができる。そして、位置決め部１０により受桟２における第二側板４の位置決めが行われることで、第二側板４の下部の左右方向の位置が規定される。このため、一対の側板を横壁に当接することができない場合に、下方に開放された空間を広くとるために、吊収納１の上部に横板として天板６を一枚のみ設ける構造としても、容易に第一側板３と第二側板４とを平行に配置することができる。
【００４８】
また、位置決め部１０が第一側板３に対する第二側板４の位置決めを行うため、高精度に第一側板と第二側板４とを平行に配置することができる。
【００４９】
また、位置決め部１０が受桟２に設けられているため、受桟２における第二側板４の位置決めを容易に行うことができるとともに、第一側板３に対する第二側板４の位置決めを容易に行うことができる。当該構成によれば、精度よく位置決め部１０が設けられた受桟２を施工現場に供給できるため、現場での位置決め作業が不要となり簡易且つ精度のよい施工ができる。
【００５０】
また、位置決め部１０が受桟２から突出する凸部であるため、この凸部に第二側板４を当接することで、受桟２における第二側板４の位置決めを容易に行うことができる。
【００５１】
また、第一側板３及び第二側板４の上部において第一側板３及び第二側板４に連結される天板６を備えるため、第一側板３及び第二側板４の上部の位置決めを容易に行うことができる。
【００５２】
また、第一横壁Ｗ２及び第二横壁Ｗ３の幅よりも第一側板３及び第二側板４の幅が狭い場合、第二横壁Ｗ３と第二側板４との間に隙間が生じるが、第二横壁Ｗ３と第二側板４との間に間口調整部材８を配置するため、第一横壁Ｗ２及び第二横壁Ｗ３の幅よりも第一側板３及び第二側板４の幅が狭い場合に、第二横壁Ｗ３と第二側板４との間に生じる隙間を塞ぐことができる。
【００５３】
また、第二側板４が第二横壁Ｗ３に固定される第一横桟９Ａ及び第二横桟９Ｂに固定されるため、第二側板４が第一横桟９Ａ及び第二横桟９Ｂを介さずに第二横壁Ｗ３に固定される場合に比べて、第二側板４を第二横壁Ｗ３に固定するビス等の固定部材の長さを短くして第二横壁Ｗ３に対する第二側板４の固定強度を向上させることができる。
【００５４】
また、間口調整部材８の前板部８Ａが第二側板４の前端面に当接されるため、吊収納１の前方から見た場合に、第二横壁Ｗ３と第二側板４との間の隙間を塞ぐことができる。しかも、第一横桟９Ａ及び第二横桟９Ｂが前板部８Ａの後面に当接されるため、前板部８Ａが内側に倒れ込むのを防止することができる。
【００５５】
また、間口調整部材の下板部８Ｂが第二側板４の下端面に当接されるため、吊収納１の下方から見た場合に、第二横壁Ｗ３と第二側板４との間の隙間を塞ぐことができる。しかも、第一横桟９Ａが下板部８Ｂの上面に当接されるため、下板部８Ｂが内側に倒れ込むのを防止することができる。
【００５６】
以上、本発明の好適な実施形態について説明したが、本発明は上記実施形態に限定されるものではなく、適宜変更することができる。
【００５７】
例えば、上記実施形態では、第一側板３と第二側板４との間に仕切板５及び固定棚７が配置されているものとして説明したが、図１６に示す吊収納１Ａのように、第一側板３と第二側板４との間に仕切板及び固定棚が配置されていないものとしてもよい。この場合、第一側板３及び第二側板４のダボ穴に木ダボを挿入することで、第一側板３及び第二側板４との間に可動棚を載置することができる。
【００５８】
また、上記実施形態では、位置決め部１０が受桟２から突出して第二側板４が当接される凸部であるものとして説明したが、図１７及び図１８に示す吊収納１Ｂのように、位置決め部１０Ｂは、受桟２Ｂに形成されて第二側板４が挿入される凹部であってもよい。この吊収納１Ｂでは、位置決め部１０Ｂが受桟２Ｂに形成される凹部であるため、この凹部に第二側板４を挿入することで、受桟２における第二側板４の位置決めを容易に行うことができる。
【００５９】
また、上記実施形態では、位置決め部１０は、第一側板３に対する第二側板４の位置決めを行うものとして説明したが、図１９に示す吊収納１Ｃのように、位置決め部１０Ｃは、第二横壁Ｗ３に対する第二側板４の位置決めを行うものとしてもよい。この場合、位置決め部１０Ｃは、第二側板４から第二横壁Ｗ３側に突出する凸部とすることができる。この吊収納１Ｃでは、位置決め部１０Ｃにより第二横壁Ｗ３に対する第二側板４の位置決めを行うことで、間接的に、第一側板３に対する第二側板４の位置決めを行って、第一側板３と第二側板４とを平行に配置することができる。
【００６０】
また、上記実施形態では、第一側板３と第二側板４の間に形成される収納空間の全てが下方に開放されているものとして説明したが、図２０に示す吊収納１Ｄのように、第一側板３と仕切板５との間に地板１２Ｄが設けられて、仕切板５と第二側板４との間に形成される収納空間のみが下方に開放されていてもよい。
【００６１】
また、上記実施形態では、第一側板３及び第二側板４の上部において第一側板３及び第二側板４に連結される横板として、天板６を備えるものとして説明したが、第一側板３及び第二側板４を天壁等に固定することにより第一側板３及び第二側板４の上部の位置決めを行うことができれば、このような横板を備えない構成であってもよい。また、このような横板として、棚板等の天板以外の横板を備えてもよい。なお、第一側板３及び第二側板４の上部とは、第一側板３及び第二側板４の上下方向における中央部よりも上の部分をいう。
【００６２】
また、上記実施形態では、第一側板３の奥行き方向の長さが第一横壁Ｗ２の奥行き方向の長さより短いものとして説明したが、第一側板３の奥行き方向の長さが第一横壁Ｗ２の奥行き方向の長さより長い態様であってもよい。この場合、第一横壁Ｗ２の奥行き方向の長さに対して第一側板３の奥行き方向の長さは２倍以下程度とすることが好ましい。また、この場合、第二側板４の奥行き方向の長さは第二横壁Ｗ３の奥行き方向の長さよりも短いことが好ましい。
【００６３】
第一側板３と第二側板４及び間口調整部材８とは、左右入替可能部材とすることで、施工現場の状況や施主の要望に応じて、左右いずれを第一側板３とするか第二側板４とするかを適宜調整できる。特に両側壁の一方の奥行き方向の長さが、側板の奥行き方向の長さよりも短い場合等に好適に対応できる。
【符号の説明】
【００６４】
１，１Ａ，１Ｂ，１Ｃ，１Ｄ…吊収納、２，２Ｂ…受桟、３，３Ａ，３Ｂ…第一側板、４…第二側板、５，５Ａ，５Ｂ…仕切板、６…天板（横板）、７…固定棚、８…間口調整部材、８Ａ…前板部、８Ｂ…下板部、９Ａ…第一横桟（横桟）、９Ｂ…第二横桟（横桟）、１０，１０Ｂ，１０Ｃ…位置決め部、１１…ダボ穴、１２Ｄ…地板、Ａ…設置空間、Ｂ…開口、Ｗ１…背壁、Ｗ２…第一横壁、Ｗ３…第二横壁。
【図１】
2019052469.tif 000003
【図２】
2019052469.tif 000004
【図３】
2019052469.tif 000005
【図４】
2019052469.tif 000006
【図５】
2019052469.tif 000007
【図６】
2019052469.tif 000008
【図７】
2019052469.tif 000009
【図８】
2019052469.tif 000010
【図９】
2019052469.tif 000011
【図１０】
2019052469.tif 000012
【図１１】
2019052469.tif 000013
【図１２】
2019052469.tif 000014
【図１３】
2019052469.tif 000015
【図１４】
2019052469.tif 000016
【図１５】
2019052469.tif 000017
【図１６】
2019052469.tif 000018
【図１７】
2019052469.tif 000019
【図１８】
2019052469.tif 000020
【図１９】
2019052469.tif 000021
【図２０】
2019052469.tif 000022